(57)【要約】【課題】空気や水蒸気は通すが水は通さない程度に微細な通気孔を有するスクリーンを用い、優れた換気効果がありながら防水性を発揮するようにした浴室等のための扉を提供する。【解決手段】疎水性のある熱可塑性ポリマーの繊維により微細な通気孔を有する織物状に形成した通気性シートと、当該通気性シートとは別組織で該シートを補強するための通気性ある補強シートとを貼着し、全体として通気性と疎水性または撥水性とが付与され、換気のための通気性を有するが掛けられた水をそのまま通過させないスクリーン１１を、扉枠１に横引きで開閉自在に張設する。【選択図】図１
2007291689.tif 000002
【特許請求の範囲】
【請求項１】
疎水性のある熱可塑性ポリマーの繊維により微細な通気孔を有する織物状に形成した通気性シートと、当該通気性シートとは別組織で該シートを補強するための通気性ある補強シートとを貼着し、全体として通気性と疎水性または撥水性とが付与され、換気のための通気性を有するが掛けられた水をそのまま通過させないスクリーンを、扉枠に上下端をガイドさせて横引きで開閉自在に張設してなる、
ことを特徴とする通気・防水性を有する扉。
【請求項２】
上記スクリーンにおける通気性シートとして、熱可塑性ポリマーからなるモノフィラメントにより形成したメッシュ数が１５０〜２５０（本／２．５４ｃｍ）の織物が用いられ、上記補強シートとして疎水性繊維からなる不織布が用いられている、
ことを特徴とする請求項１に記載の通気・防水性を有する扉。
【請求項３】
上記スクリーンを、巻取軸にスプリングで巻き取るロール巻取り式、あるいは、交互に逆方向に折り畳む折り畳み式のスクリーンとし、それにより扉枠の一側の側枠または可動框に収容可能に形成した、
ことを特徴とする請求項１または２に記載の通気・防水性を有する扉。
【請求項４】
扉枠の上部及び下部に、上記可動框を横方向にスライド自在にガイドする上部及び下部ガイドレールが設けられ、
スクリーンの収納に伴って、側枠または可動框の上下端の出入口から湾曲してその内部へ導入され、スクリーンの張設に伴って、上記出入口から上部及び下部ガイドレールに沿って、スクリーンの上下各端縁部を保持するように直線的に導出される上下一対のスライド枠を備え、
上記一対のスライド枠が、それぞれ複数のガイド駒を互いに隣接するガイド駒間において屈曲可能に連結することにより湾曲可能に形成されると共に、その導出時に上部及び下部ガイドレールと摺動自在に係合する係合部を長手方向に沿って有しており、
上記スライド枠を構成する各ガイド駒に、上記スクリーンの張設及び収納に伴って、上記スクリーンの上下端縁部に沿って設けた係合子が内縁に摺動自在に係合する長手方向の一連のスリットが設けられている、
ことを特徴とする請求項３に記載の通気・防水性を有する扉。
【請求項５】
少なくとも下部のスライド枠を構成するガイド駒に、その内部に溜まった水を室内側に流出させる水抜き孔を設けている、
ことを特徴とする請求項４に記載の通気・防水性を有する扉。
【請求項６】
扉枠の側枠が、建物開口部に固定される固定枠と、それに着脱自在に取り付けられた上記スライド枠が導出入されるスライド枠収容框からなり、
上記上部ガイドレールが扉枠の上部横枠に下方にばね付勢されて設けられており、
スクリーン及び上下のスライド枠で相互に連結されている上記スライド枠収容框及び可動框が、上記上部ガイドレールに作用するばね付勢力に抗して上下のガイドレールに対して着脱自在に形成されている、
ことを特徴とする請求項４または５に記載の通気・防水性を有する扉。
【請求項７】
スライド枠におけるガイド駒の係合部に、上部及び下部ガイドレールにおける側面の鍔部に係合する係合鈎部を備え、
可動框におけるスクリーンの全収納位置において、上記ガイドレール側面の鍔部を切除している、
ことを特徴とする請求項６に記載の通気・防水性を有する扉。
【発明の詳細な説明】
【技術分野】
【０００１】
本発明は、浴室、シャワー室、洗面所、厨房、洗濯場、水を扱う作業場等のための通気・防水性を有する扉に関するものである。
【背景技術】
【０００２】
従来、通気性を有しながら防水性を有する可撓性のスクリーンの素材、特に、浴室やシャワー室の扉として用いるのに適し、換気のための通気性を有しながら、飛散水の透過を防止できるような防水性を有するスクリーンの素材は見当たらない。
上記扉として用いるのに適した素材は、更に具体的には、次のようなものであることが望まれる。即ち、湯水の飛散が激しくてもその透過を抑制できること、室内の水蒸気を排出し、燃焼機器が存在する場合（例えば厨房等）には燃焼ガスを排気するするための換気に適した通気性を有していること、特に浴室等で使用するために人体との接触感がすぐれていること、扉としての繰り返し開閉に対する強度を有していること、柔構造で、辷りやすい浴室等でのけがを最小限に抑えられること、扉枠の内側のみのスペースで開閉できるようにするため、巻き取りまたは折り畳み可能なスクリーン状であり、引き戸のような収納スペースや折れ戸のような開放時の折り畳みスペースが要らないこと、などが望まれ、それらの条件を満たす適切な素材は知られていない。
【０００３】
一方、従来から、防水性を有する浴室用扉が特許文献１等により提案されている。
しかしながら、上記文献に示されている浴室用扉は、それを構成するスクリーンに樹脂のコーティングや防水剤の塗着によって防水性を付与したものであり、可撓性のシート状材料を用いて湯水の透過を抑制できるようにしているが、通気性について配慮したものではない。
本発明者は、十分な通気性を確保しながらも、防水性を発揮できるスクリーンを得るべく、適切なスクリーン素材を鋭意探索したが、通気性のあるシートの複数を貼着することにより、通気性及び防水性を適宜調整できることを確かめ、かつそれによって上記条件を満たすスクリーンが得られることを確かめ、その知見に基づいて本発明を完成するに至ったものである。
【０００４】
【特許文献１】特許第２６６０２３２号公報
【発明の開示】
【発明が解決しようとする課題】
【０００５】
本発明の技術的課題は、空気や水蒸気は通すが水は通さない程度に微細な通気孔を有するスクリーンを用い、優れた換気効果がありながら防水性を発揮するようにした浴室等のための扉を提供することにある。
本発明の他の技術的課題は、上述した知見に基づき、通気性のある複数のシートの接合により適度の通気性と防水性を付与したスクリーンを得て、それを用いた浴室等の扉を提供することにある。
本発明の他の技術的課題は、引き戸のように収納スペースが要らず、折れ戸のように開放時の折り畳みスペースが要らず、扉枠の内側のみのスペースで開閉できるようにした通気・防水性を有する扉を提供することにある。
【課題を解決するための手段】
【０００６】
上記課題を解決するための本発明に係る通気・防水性を有する扉は、疎水性のある熱可塑性ポリマーの繊維により微細な通気孔を有する織物状に形成した通気性シートと、当該通気性シートとは別組織で該シートを補強するための通気性ある補強シートとを貼着し、全体として通気性と疎水性または撥水性とが付与され、換気のための通気性を有するが掛けられた水をそのまま通過させないスクリーンを、扉枠に上下端をガイドさせて横引きで開閉自在に張設したことを特徴とするものである。
【０００７】
上記構成を有する本発明の通気・防水性を有する扉においては、相互に貼着する微細な通気孔を有する織物状の通気性シートと、それと別組織の通気性ある補強シートとは、いずれも通気性及び通水性を有しているが、相互に別組織であって、それらを貼着すると通気孔が著しく微細化し、通気性も減殺されるが該微細化により通水性も著しく減殺され、飛散した水が掛かっても直ちに透過することはなく、次第にしみ出す程度にすることができる。そして、スクリーン、特にそれを構成する補強シートに撥水性を付与しておくことにより、水の透過は殆ど抑制され、水圧を掛けた状態にすればしみ出す程度にすることができる。
【０００８】
また、スクリーンとしては、疎水性素材により空気や水蒸気は通すが水は通さない程度に微細な通気孔を有するものを用いるので、優れた換気効果があり、しかも、浴室その他の湿気の多い部屋で換気扇により排気しているところでは、その排気に伴ってスクリーンの通気孔を通して外気を吸引するので、良好な換気が行われるばかりでなく、その換気流によりスクリーンを通した水の浸出をも有効に防止できる。
【０００９】
本発明に係る上記扉の好ましい実施形態においては、上記スクリーンにおける通気性シートとして、熱可塑性ポリマーからなるモノフィラメントにより形成したメッシュ数が１５０〜２５０（本／２．５４ｃｍ）の織物が用いられ、上記補強シートとして疎水性繊維からなる不織布が用いられる。
【００１０】
本発明に係る上記扉の他の好ましい実施形態においては、上記スクリーンを、巻取軸にスプリングで巻き取るロール巻取り式、あるいは、交互に逆方向に折り畳む折り畳み式のスクリーンとし、それにより扉枠の一側の側枠または可動框に収容可能に形成される。
このように構成すると、引き戸のように収納スペースが要らず、折れ戸のように開放時の折り畳みスペースが要らず、扉枠の内側のみのスペースで開閉可能になる。
【００１１】
また、本発明に係る扉の他の好ましい実施形態においては、扉枠の上部及び下部に、上記可動框を横方向にスライド自在にガイドする上部及び下部ガイドレールが設けられ、スクリーンの収納に伴って、側枠または可動框の上下端の出入口から湾曲してその内部へ導入され、スクリーンの張設に伴って、上記出入口から上部及び下部ガイドレールに沿って、スクリーンの上下各端縁部を保持するように直線的に導出される上下一対のスライド枠を備え、上記一対のスライド枠が、それぞれ複数のガイド駒を互いに隣接するガイド駒間において屈曲可能に連結することにより湾曲可能に形成されると共に、その導出時に上部及び下部ガイドレールと摺動自在に係合する係合部を長手方向に沿って有しており、上記スライド枠を構成する各ガイド駒に、上記スクリーンの張設及び収納に伴って、上記スクリーンの上下端縁部に沿って設けた係合子が内縁に摺動自在に係合する長手方向の一連のスリットが設けられる。
上記扉においては、下部のスライド枠を構成するガイド駒に、その内部に溜まった水を室内側に流出させる水抜き孔を設けるのが望ましい。
【００１２】
また、本発明に係る扉の他の好ましい実施形態においては、扉枠の側枠が、建物開口部に固定される固定枠と、それに着脱自在に取り付けられた上記スライド枠が導出入されるスライド枠収容框からなり、上記上部ガイドレールが扉枠の上部横枠に下方にばね付勢されて設けられており、スクリーン及び上下のスライド枠で相互に連結されている上記スライド枠収容框及び可動框が、上記上部ガイドレールに作用するばね付勢力に抗して上下のガイドレールに対し着脱自在に形成される。
【００１３】
この場合に、スライド枠におけるガイド駒の係合部に、上部及び下部ガイドレールにおける側面の鍔部に係合する係合鈎部を備え、可動框におけるスクリーンの全収納位置において、上記ガイドレール側面の鍔部を切除し、それによって、ガイドレールに対するスライド枠のガイド駒の係合を安定化させながら、スライド枠収容框及び可動框を簡単に着脱可能にすることができる。
【発明の効果】
【００１４】
以上に詳述した本発明の通気・防水性を有する扉によれば、空気や水蒸気は通すが水は通さない程度に微細な通気孔を有するスクリーンを用い、優れた換気効果がありながら防水性を発揮するようにした浴室等のための扉を得ることができる。
また、引き戸のように収納スペースが要らず、折れ戸のように開放時の折り畳みスペースが要らず、扉枠の内側のみのスペースで開閉できるようにした通気・防水性を有する扉を提供することができる。
【発明を実施するための最良の形態】
【００１５】
以下に、本発明に係る通気・防水性を有する扉の実施の形態を、図１〜図１０に示す実施例に基づいて詳細に説明する。
以下に示す実施例においては、本発明の通気・防水性を有する扉として、巻取り式のスクリーンを浴室用扉に適用した例について示すが、扉のスクリーンとしては、巻取り式に限られることなく、交互に逆方向への折り返しにより多数の襞が形成されたアコーデオン状の折り畳み式スクリーンであっても良く、また、本発明の通気・防水性を有する扉の用途についても、浴室用扉に限られることなく、シャワー室、洗面所、厨房、洗濯場、水を扱う作業場等の扉であっても良い。
【００１６】
図示した実施例の扉は、通気・防水性を有するスクリーン１１を、扉枠１に横引きで開閉自在に張設したものである。
上記扉枠１は、図１〜図３に示すように、ガイドレール３を有する上部の横枠２、下部の横枠を形成するガイドレール４と、左右の側枠５，６とを備えている。これらは、ネジ等により建物開口部に取り付けられるものである。そして、一方（図１の左側）の側枠５は、上記ネジ等で建物開口部に取り付けられる固定枠７と、それに着脱可能に取り付けられ、スクリーン１１の一端が固定されると共に後述するスライド枠２０Ａ，２０Ｂが導出入されるスライド枠収容框８とにより構成され、また、該収容框８に一端を固定されたスクリーン１１の他端を巻き取るための巻取軸１０を備えた可動框９は、上部の横枠２におけるガイドレール３及び下部の横枠を形成するガイドレール４により摺動自在にガイドされるようにして、上記収容框８に対向配置されている。
【００１７】
上部の横枠２は、図１及び図４に明瞭に示すように、固定枠１３とその内部に昇降可能に収容された可動枠１４とを備えている。上記固定枠１３は、下向きに開放するコ字状部材により形成され、上面の固定壁１３ａの両端から垂下する一対の側壁１３ｂ，１３ｂの下端内側に、上記可動枠１４の抜脱を防止する係止片１３ｃが、それぞれ内側に向けてその開口幅を狭めるように突設され、一方、上記可動枠１４は、上面が開放したコ字状部材により上記固定枠１３の下方の開口内に摺動自在に嵌入するように形成され、下面板１４ａの両端から立設された対向する一対の摺動壁１４ｂ，１４ｂの上端部に、上記固定枠１３の係止片１３ｃと係合する係合部１４ｃが外側に向けて凸設されている。また、上記下面板１４ａの下面には、後述するスライド枠２０Ａをガイドする前記ガイドレール３を設けている。そして、上記固定枠１３の固定壁１３ａと可動枠１４の下面板１４ａとの間には、断面略くの字状に形成した弾性部材（板ばね）１５が介装され、固定枠１３と可動枠１４とを互いに離反する方向に付勢している。
一方、下部の横枠を形成するガイドレール４は、後述するように、上記スライド枠２０Ｂをスライド自在にガイドするように形成されている。
【００１８】
図１及び図２に示すように、上下端を扉枠１にガイドさせている上記可動框９は、その内部にスプリング１８の付勢力でスクリーン１１を巻き取るロール巻取り式のスクリーンを備え、具体的には、該可動框９の内部に、巻き取り用のスプリング１８を内蔵して該スプリング１８の付勢力でスクリーン１１を巻き取る巻取軸１０を備えている。このように、スクリーン１１を巻取軸１０へ巻き取ることにより可動框９内に収容できるようにすると、扉枠１の一側に、扉を構成するスクリーン１１をコンパクトに収納することができ、扉の設置に必要なスペースを小さくすることができる。
なお、上記巻取軸１０は、スライド枠収容框８内に設けてもよく、この場合に、上記スライド枠２０Ａ，２０Ｂは、この実施例と同様に、固定枠７に着脱可能に取り付けられるスライド枠収容框８に導出入されるようにしてもよいが、可動框９をスライド枠収容框として、その内部にスライド枠２０Ａ，２０Ｂが導出入するように構成することもできる。
【００１９】
上記扉には、上記スクリーン１１の収納に伴って、上記スライド枠収容框８の上下端の出入口から湾曲してその内部へ導入され、上記スクリーン１１の張設に伴って、上記収容框８の出入口から上部ガイドレール３及び下部ガイドレール４に沿って、上記スクリーン１１の上下各端縁部を保持するように直線的に導出される上下一対のスライド枠２０Ａ，２０Ｂを備えている。
上記スライド枠収容框８及び可動框９は、上記スクリーン１１及び上記上下のスライド枠２０Ａ，２０Ｂで相互に連結されており、これらのスライド枠収容框８、可動框９、スクリーン１１、スライド枠２０Ａ，２０Ｂで扉本体３０を構成している。
【００２０】
上記一対のスライド枠２０Ａ，２０Ｂは、図１〜図６に示すように、それぞれ複数のガイド駒２１を互いに隣接するガイド駒２１間において屈曲可能に連結することにより、湾曲可能に形成している。
これらのガイド駒２１は、その導出時に上部ガイドレール３及び下部ガイドレール４と摺動自在に係合する係合部２２を長手方向に沿って設け、また、各ガイド駒２１に上記スクリーン１１の上下端縁部に沿って設けた係合子２４が内縁に摺動自在に係合する長手方向の一連のスリット２３が設けられ、該スリット２３によりガイド部が構成されている。上記係合子２４は、スクリーン１１の上下各端縁部にその全長にわたって設けられ、上記スリット２３の幅よりも幅広に形成されたファスナー半体状のものである。
したがって、上記スクリーン１１の上下端は、上記スライド枠２０Ａ，２０Ｂによりガイドされ、上記スライド枠２０Ａ，２０Ｂから抜けることはない。
【００２１】
更に詳述すると、上記ガイド駒２１は、図５及び図６に明瞭に示すように、略矩形に形成された一対の側壁２１ａ，２１ａと、これら一対の側壁２１ａ，２１ａを一体に結合する底部の結合壁２１ｂとを有していて、上記一対の側壁２１ａ，２１ａにおけるスクリーン１１側に配置される端部には、連結ワイヤー２６，２６を挿通させるための孔２１ｄが該ガイド駒２１の連接方向に貫設されている。また、上記一対の側壁２１ａ，２１ａにおける結合壁２１ｂよりもスクリーン１１側の内面間にはガイド壁２１ｃが架け渡されていて、該ガイド壁２１ｃの略中央にガイド駒２１の連接方向に沿う上記スリット２３が開設されている。
【００２２】
これにより、スクリーン１１の張設に伴って、該スクリーン１１の上下各端縁部がそれぞれ、スライド枠２０Ａ，２０Ｂの長手方向に沿って開設された上記スリット２３の内縁に上記係合子２４を係合させた状態で、該スリット２３に摺動自在に挿通されてガイドされるようになっている。
なお、上記スクリーン１１がアコーディオン状に形成された折り畳み式の場合には、上記ガイド壁２１ｃ及びスリット２３を設ける必要はなく、上記側壁２１ａ，２１ａと結合壁２１ｂとによってガイド部が形成される。
【００２３】
上記上下一対のスライド枠２０Ａ，２０Ｂは、樹脂で一体成形された複数の上記ガイド駒２１を、それらのスクリーン１１側の両端部の孔２１ｄにそれぞれ可撓性を有する２本の連結ワイヤー２６，２６を貫通させて、一列に連結することにより形成され、上記複数のガイド駒２１が、スライド枠２０Ａ，２０Ｂが直線状態にあるときに、互いに隣接するガイド駒２１の端面２７，２７同士がほぼ隙間無く当接するように連結されているが、互いに隣接するガイド駒２１，２１間におけるスクリーン１１側へのスムーズな屈曲、すなわちスライド枠２０Ａ，２０Ｂのスクリーン１１側へのスムーズな湾曲が妨げられない程度の余裕を持たせてある。
【００２４】
上記上下各スライド枠２０Ａ，２０Ｂは、それぞれ、その一端を固定端として上記可動框９の上下端に固定されると共に、その他端を自由端として上記スライド枠収容框８の上下各出入口を通じて該スライド枠収容框８の内部に導入されていて、可動框９の往復移動により、上記上下各出入口を通じてスライド枠収容框８の内部と上下ガイドレール３，４に沿う位置との間で出没可能となっている。
特に、下部のスライド枠２０Ｂがスクリーン１１の巻取軸１０への巻き取りに伴う収納時にスライド枠収容框８の内部に収容され、逆に、スクリーン１１の張設時に該スライド枠収容框８の内部からスクリーン１１の下端縁部に沿って直線的に導出されるため、扉枠１がバリヤフリー構造になっている。
【００２５】
また、少なくとも下部のスライド枠２０Ｂを構成するガイド駒２１には、その内部に溜まった水を浴室内側に流出させる水抜き孔２１ｅを設けている。更に、浴室内側からの水がスクリーン１１の反対側の室に浸入するのを極力避けるため、上記スリット２３を構成する浴室外側のガイド壁２１ｃの端部に屈曲部２１ｆを設けている。
更に、下部のスライド枠２０Ｂを構成するガイド駒２１のスクリーン１１とは反対側の結合壁２１ｂの外面には、前記係合部２２が形成されているが、この係合部２２は、一対の係合鈎部２２ａ，２２ｂを互いに内側に向けて突設したものである。これらの係合鈎部２２ａ，２２ｂは下部ガイドレール４に係合するが、その浴室内側の係合鈎部２２ｂだけを、下部ガイドレール４との隙間をなくして浴室内からの水がより一層シールされるように、軟質の合成樹脂で一体に形成している。
上記水抜き孔２１ｅや軟質の係合鈎部２２ｂ等を設けたガイド駒２１は、部品を共通させるために、上記上部のスライド枠２０Ａを構成するガイド駒２１に用いてもよい。
【００２６】
一方、前記ガイドレール３，４は、突出部の側面から外側に向けて突設された各一対の鍔部３ａ，４ａを備えている。これらの鍔部３ａ，４ａは、上記スライド枠２０Ａ，２０Ｂにおけるガイド駒２１の係合鈎部２２ａ，２２ｂと摺動自在に係合するものである。
そして、図７及び図８に示すように、上記ガイドレール３，４は、スライド枠収容框８の上下部、すなわち上記可動框におけるスクリーンの全収納位置付近において、その側面の鍔部３ａ，４ａを、傾斜部３ｂ，４ｂを介して次第に切除し、無鍔部３ｃ，４ｃとしている。
このようにして、ガイドレール３，４における上記無鍔部３ｃ，４ｃの幅は、それぞれ対応するスライド枠２０Ａ，２０Ｂの係合鈎部２２ａによって狭められた開口幅よりも小さく形成され、また、鍔部３ａ，４ａによって拡げられたガイドレール３，４の幅は、係合鈎部２２ａによって狭められた係合部２２の開口幅よりも大きく形成されている。
【００２７】
そうすることにより、スクリーン１１の張設に伴って、上記スライド枠収容框８の内部から導出された各スライド枠２０Ａ，２０Ｂは、その導出後間もなく、係合部２２における係合鈎部２２ａが上下各ガイドレール３，４における鍔部３ａ，４ａと係合した状態になり、その係合状態でガイドレール３，４に沿って進行することになる。したがって、スクリーン１１の開閉操作時に、上下各スライド枠２０Ａ，２０Ｂを、スライド枠収容框８に対してスムーズに出没動作させることができ、扉の良好な操作性を確保することができる。しかも、各スライド枠２０Ａ，２０Ｂがスクリーン１１側への湾曲を阻止されて直線状に保持され、すなわち、スライド枠２０Ａ，２０Ｂの係合鈎部２２ａと上下各ガイドレール３，４の鍔部３ａ，４ａとによって湾曲制限機構が形成される。
【００２８】
また、上記扉においては、一対のスライド枠２０Ａ，２０Ｂの出没動作を互いに同期させることにより、扉の開閉操作時に、上記可動框９と上記スライド枠収容框８との平行状態を維持するため、図１に示すように、上下各スライド枠２０Ａ，２０Ｂの自由端を形成する端部駒にそれぞれ設けたプーリー２８（下方のプーリーは図示省略）間にワイヤー部材２９をループを形成するようにして巻き掛けている。
【００２９】
上記スクリーン１１は、疎水性のある熱可塑性ポリマーの繊維により微細な通気孔を有する織物状に形成した通気性シートと、当該通気性シートとは別組織で該シートを補強するための通気性ある補強シートとを貼着し、全体として通気性と疎水性または撥水性とが付与され、換気のための通気性を有するが掛けられた水をそのまま通過させないスクリーンにより形成されたものである。必要に応じて、撥水処理を施すこともできる。
上記通気性シートとしては、例えば、熱可塑性ポリマーからなるモノフィラメントで、繊度が５〜２５ｄのものを経糸、緯糸として配したところのメッシュ数が１５０〜２５０（本／２．５４ｃｍ）の平織物を用いることができる。これは花粉除けのスクリーンとしても使用できるもので、杉の花粉は径が２０〜４０μｍと言われていることから、上記メッシュ数は大部分の花粉の通過を阻止する程度の通気孔を有するものである。
【００３０】
また、上記補強シートとしては、例えば、疎水性繊維からなる不織布が用いられる。不織布としては、糸の太さが２〜３ｄのもので、目付としてはｍ２当たり１０〜２００ｇ位まで、厚さとしては、０．１〜０．５程度のものが適しているが、これらはスクリーンの通気性と防水性を考慮して選択されるべきであり、すなわち、通気性シートと補強シートとを、それらが貼着されたスクリーンの通気性と防水性を考慮して組み合わせ、必要に応じて撥水加工することにより、それに飛散した水滴を水玉にして流下させることを可能にするものであることが必要である。
【００３１】
上記スライド枠収容框８、可動框９、スクリーン１１、及びスライド枠２０Ａ，２０Ｂで構成される扉本体３０は、扉枠１に対して簡単に着脱できるようにしている。
すなわち、上述のように、上記可動框９を上記スクリーン１１が全収納される位置まで移動させることにより、上下各スライド枠２０Ａ，２０Ｂの係合部２２を、上記上下各ガイドレール３，４に対して係脱させることができ、また、前記スライド枠収容框８は以下に説明するように側枠５における固定枠７に対して着脱可能であり、更に上記上部ガイドレール３は上部横枠２に下方にばね付勢されて設けられているため、上記扉本体３０は、上記スクリーン１１が上記可動框９に全収納される位置において、それを前記固定枠１３と上部ガイドレール３を備えた可動枠１４との間に作用する弾性部材１５のばね付勢力に抗して持ち上げ、その状態で下部のスライド枠２０Ｂを下部のガイドレール４から離脱させたうえで、上部のスライド枠２０Ａを上部のガイドレール３から離脱させることにより、扉枠１から離脱させることができ、また上記とは逆の操作で扉枠１に対して扉本体３０を装着することができる。
【００３２】
上記スライド枠収容框８を側枠５における固定枠７に着脱自在にするため、図１、図９及び図１０に示すように、扉枠１にはそれらの固定手段を付設している。
該固定手段は、上記固定枠７の上下２個所に固定された鈎部材３５と、上記スライド枠収容框８における上記鈎部材３５に対応する位置にスライド可能に取り付けられた各係合部材３６との係脱自在の係合により、上記スライド枠収容框８を上記固定枠７に固定するものである。
【００３３】
更に具体的に説明すると、上記係合部材３６は、図１０に示すスライド枠収容框８の固定面に対し、該スライド枠収容框８の両側に一対の摘み部３６ａが突出する板状に形成され、その中央部に略長円形状の貫通孔３６ｂが設けられ、該貫通孔３６ｂを通して、スライド枠収容框８に係合部材３６の移動を一定範囲に制限すると共に、該係合部材３６の孔縁に被設してスライド枠収容框８からの離脱を抑止する支持部材３７をねじ固定することにより、上記係合部材３６が摘み部３６ａの操作で上記一定の範囲内を上下にスライドするように構成している。また、上記係止部材３６には、スライド枠収容框８の固定面に突設した複数の上下方向突条８ａに対してスライドによる挿通をガイドされる複数の凹溝３６ｃを設けると共に、該係止部材３６における上記貫通孔３６ｂに近接した位置に該貫通孔３６ｂ側に向けて突出する一対の係合突子３６ｄを設け、上記支持部材３７の側面に、係止部材３６の移動の上限及び下限位置で該係合突子３６ｄに対して弾性的に係合する一対の係合片３７ａを設けている。
【００３４】
そして、図１及び図６からわかるように、上記係止部材３６における下部裏面に部分的な段落部３６ｅを設けることにより、該係止部材３６の下部を前記鈎部材３５と係脱する係合部３６ｆとしている。
上記係合部材３６は、上記摘み部３６ａを摘んで上下動させることにより、一対の係合突子３６ｄで係止片３７ａを押しながら上下方向にスライドさせることができ、該係合部材３６が上限及び下限位置で係止片３７ａにより係止されるので、それらの位置からみだりに移動することはない。そして、上記係合部材３６は、上記下限位置においてその段落部３６ｅにより形成された係合部３６ｆが鈎部材３５と係合することにより、上記スライド枠収容框８が側枠５における固定枠７に固定され、上記係合部材３６を上記上限位置に移動させることにより、スライド枠収容框８の固定枠７に対する固定が解除される。
【図面の簡単な説明】
【００３５】
【図１】本発明に係る扉の一実施例を示す要部縦断正面図である。
【図２】図１の水平断面図である。
【図３】図１の縦断面図である。
【図４】図３の要部拡大断面図である。
【図５】上記実施例におけるガイド駒の断面図である。
【図６】上記実施例における下部スライド枠の部分拡大斜視図である。
【図７】上記実施例における下部ガイドレールの部分的平面図である。
【図８】上記実施例における上部ガイドレールの部分的下面図である。
【図９】上記実施例における扉枠の一部拡大正面図である。
【図１０】上記実施例のスライド枠収容框の固定面の構成を示す部分拡大正面図である。
【符号の説明】
【００３６】
１      扉枠
２      横枠
３，４    ガイドレール
３ａ，４ａ    鍔部
５      側枠
７      固定枠
８      スライド枠収容框
９      可動枠
１０      巻取軸
１１      スクリーン  
１５      弾性部材
１８      スプリング
２０Ａ，２０Ｂ    スライド枠
２１      ガイド駒
２１ｅ    水抜き孔
２２      係合部
２２ａ，２２ｂ    係合鈎部
２３      スリット
２４      係合子
【図１】
2007291689.tif 000003
【図２】
2007291689.tif 000004
【図３】
2007291689.tif 000005
【図４】
2007291689.tif 000006
【図５】
2007291689.tif 000007
【図６】
2007291689.tif 000008
【図７】
2007291689.tif 000009
【図８】
2007291689.tif 000010
【図９】
2007291689.tif 000011
【図１０】
2007291689.tif 000012